(57)【要約】      （修正有）【課題】植物の茎や蔓などの引っ掛かりとなったり、植物の茎を結着する際に用いる結着材のずり落ちを防止したりする際などにおいて、ずり落ちを確実に防止することができる農園芸用支柱を提供する。【解決手段】棒状体の外側面に合成樹脂層が被覆され、合成樹脂層の外側面に長手方向に沿って間隔を置いて多数の突起３が列状に形成されると共に、列状に形成された突起は合成樹脂層の外側面の周方向に複数設けられている農園芸用支柱であって、突起は長手方向の一端で高さが最も高く、長手方向の他端に向かうにしたがって高さが低くなる楔形状とし、さらに突起を、長手方向の一端面が合成樹脂層の外側面に対して垂直で、長手方向の他端面が合成樹脂層の外側面に対して傾斜した角錘台形状とする。【選択図】図１
2016158553.tif 000002
【特許請求の範囲】
【請求項１】
棒状体の外側面に合成樹脂層が被覆され、該合成樹脂層の外側面に長手方向に沿って間隔を置いて多数の突起が列状に形成されると共に、列状に形成された前記突起は前記合成樹脂層の外側面の周方向に複数設けられている農園芸用支柱であって、前記突起は前記長手方向の一端で高さが最も高く、前記長手方向の他端に向かうにしたがって高さが低くなる楔形状となされていることを特徴とする農園芸用支柱。
【請求項２】
楔形状となされた前記突起は、前記長手方向の一端面が前記合成樹脂層の外側面に対して垂直で、前記長手方向の他端面が前記合成樹脂層の外側面に対して傾斜した角錘台形状であることを特徴とする請求項１に記載の農園芸用支柱。
【発明の詳細な説明】
【技術分野】
【０００１】
本発明は、野菜や花などの栽培と言った農園芸に使用される農園芸用支柱に関するものである。
【背景技術】
【０００２】
農園芸に使用される農園芸用支柱については、従来より種々の提案がなされており、例えば、棒材外面にその長さ方向に不連続突起列が設けられると共に、該不連続突起列の側方に位置させて該棒材外面に目盛り突部が突設されてなり、該不連続突起列は、植物の茎や蔓の引っ掛かりとなったり、植物の茎を棒材に結着した際の該結着材のずり落ちを防止する等の引っ掛かりとなる引っ掛かり突起が、前記棒材の長さ方向に不連続状態で突設されてなり、又前記目盛り突部は、平滑な材外面に棒材の長さ方向に一定間隔で突設されてなり、該目盛り突部と前記不連続突起列との間には間隙が設けられている植物栽培用の棒材が開示されている。（特許文献１の請求項１参照）。
【０００３】
そして、前記植物栽培用の棒材外面にその長さ方向に不連続状態で突設された引っ掛かり突起１５は、支柱１ａに対する蔓の巻き付きを容易化したり、植物の茎を支柱１ａに結着した際の結着材のずり落ちを防止するためのものであり、図３〜４に示すように、上下に比較的長い引っ掛かり突起１５が棒材の長さ方向に比較的小さい間隔で突設されて、該引っ掛かり突起１５の棒材周方向での厚さが約１．３ｍｍで、その突出量が約１．０ｍｍ、棒材長さ方向での長さが約５．６ｍｍ、上下隣り合う突起１５，１５間の間隔が５〜１５ｍｍに設定されている。（特許文献１の段落００１９参照）
【先行技術文献】
【特許文献】
【０００４】
【特許文献１】特開２００８−０６７６１１号公報
【発明の概要】
【発明が解決しようとする課題】
【０００５】
しかしながら、上記従来の植物栽培用の棒材である農園芸用支柱においては、図２（Ｂ）や図７ほかに示されている様に、上下に長い前記引っ掛かり突起の上下端部にはそれぞれ傾斜面部が備えられ、上端部の傾斜面部の下端縁から下端部の傾斜面の上端縁に垂直面部が垂下されて、前記引っ掛かり突起が形成されている、つまり前記引っ掛かり突起は台形状に形成されているので、植物の茎や蔓の引っ掛かりとなったり、植物の茎を棒材に結着した際の該結着材のずり落ちを防止する等の引っ掛かりとなるものの、植物の茎や蔓や前記結着材などが前記傾斜面部に配置されると、特に、前記結着材が例えば合成樹脂製の細線やそれを用いて形成されたネットなどの線状部材であって、該結着材を前記農園芸用支柱の外周に巻き付けて結着し、前記引っ掛かり突起に引っ掛かるようにするのではなく、前記農園芸用支柱の外周に巻き付けることなく前記引っ掛かり突起に引っ掛けようとする場合においては、前記引っ掛かり突起の傾斜に沿ってずり落ちる可能性もないとは言えず、さらなる改善が要望されていた。
【０００６】
本発明は、植物の茎や蔓などの引っ掛かりとなったり、植物の茎を結着する際に用いる結着材のずり落ちを防止したりする際などにおいて、ずり落ちを確実に防止することができる農園芸用支柱を提供せんとするものである。
【課題を解決するための手段】
【０００７】
上記目的を達成するために、本発明は次のような構成としている。
すなわち本発明に係る農園芸用支柱は、棒状体の外側面に合成樹脂層が被覆され、該合成樹脂層の外側面に長手方向に沿って間隔を置いて多数の突起が列状に形成されると共に、列状に形成された前記突起は前記合成樹脂層の外側面の周方向に複数設けられている農園芸用支柱であって、前記突起は前記長手方向の一端で高さが最も高く、前記長手方向の他端に向かうにしたがって高さが低くなる楔形状となされていることを特徴とするものである。
【０００８】
また本発明に係る農園芸用支柱において、楔形状となされた前記突起を、前記長手方向の一端面が前記合成樹脂層の外側面に対して垂直で、前記長手方向の他端面が前記合成樹脂層の外側面に対して傾斜した角錘台形状にしてもよい。
【発明の効果】
【０００９】
本発明に係る農園芸用支柱によれば、前記突起は前記長手方向の一端で高さが最も高く、前記長手方向の他端に向かうにしたがって高さが低くなる楔形状としているので、前記農園芸用支柱を畑などの農園芸用地で使用する際、前記突起の最も高さが高い一端が上側になるようにして立設させると、前記突起の最も高さが高い一端で線状部材などからなる結着材や植物の茎・蔓などを受け止めることができ、確実にずり落ちを防止することができる。
【００１０】
また本発明に係る農園芸用支柱によれば、楔形状となされた前記突起は、前記長手方向の一端面が前記合成樹脂層の外側面に対して垂直で、前記長手方向の他端面が前記合成樹脂層の外側面に対して傾斜した角錘台形状であるので、角錐形状のように頂部が鋭角に尖った箇所が前記突起に設けられていないため、農園芸用支柱の使用者が手で持つ際などにおいて、痛みを感じることなく、快適に農園芸用支柱を地面に設置することができるとともに、前記合成樹脂層の外側面に対して垂直に形成された前記長手方向の一端面で、線状部材などからなる結着材や植物の茎・蔓などを受け止めることができ、確実にずり落ちを防止することができる。特に、前記農園芸用支柱が複数本列設された畑などの農園芸用地において、長い距離にわたって延設されている線状部材からなる結着材の両端部を前記農園芸用支柱に括り付けて結着させている場合においては、植物の成長に合わせて、前記結着材を上方に上げていく作業が必要となることもあり、その場合には、両端の農園芸用支柱に括り付けている結着材を上方に上げた後、両端の農園芸用支柱の間に配置されている農園芸用支柱の所定高さに位置する前記突起の、前記合成樹脂層の外側面に対して垂直に形成された前記長手方向の一端面上に、前記結着材を載置しさえすれば、その作業を完了することができるので、非常に作業効率が良い。
【図面の簡単な説明】
【００１１】
【図１】本発明に係る農園芸用支柱の一つの実施形態を示す正面図である。
【図２】図１に示す実施形態の農園芸用支柱を部分拡大した、（ａ）は正面図、（ｂ）は側面図である。
【図３】図２に示す、（ａ）はＡ−Ａ矢視の断面図、（ｂ）はＢ−Ｂ矢視の断面図である。
【図４】図１に示す実施形態の農園芸用支柱に線状部材からなる結着材を取付けた状態を示す説明図である。
【発明を実施するための形態】
【００１２】
次に、本発明を実施するための形態について図面を参照し、具体的に説明する。
Ｐは本発明に係る農園芸用支柱であって、棒状体であるパイプ材１の外側面に合成樹脂層２が被覆され、該合成樹脂層２の外側面２１に長手方向Ｌに沿って間隔を置いて多数の突起３が列状に形成されると共に、列状に形成された前記突起３は前記合成樹脂層２の外側面２１の周方向に複数設けられて形成されている。なお、前記パイプ材１の上端部と下端部とには栓体が装着され、前記パイプ材１内部が密閉されており、前記栓体の外側にも前記合成樹脂層２が形成されて、農園芸用支柱Ｐの上端部は平坦に、下端部は先細りのテーパー形状（円錐形状）となされている。
【００１３】
前記パイプ材１は、鉄、ステンレス、アルミニウム合金等の金属、あるいは、ポリプロピレン、ポリスチレン、ポリ塩化ビニル、ポリ塩化ビニリデン、ポリカーボネート、ポリエチレンテレフタレート、ポリブチレンテレフタレート、ポリエチレンナフタレート、ポリアミド、ポリウレタン、ポリアクリロニトリル、ＡＢＳ、ＡＡＳ、フェノール樹脂、不飽和ポリエステル樹脂、エポキシ樹脂、ＦＲＰ等の合成樹脂からなる管状体が用いられ、その断面形状は円形、楕円形、多角形等特に限定はされないが、本実施形態に示すように、断面が真円形状のものが好適に使用される。
【００１４】
また、上記パイプ材１の外側面を被覆する合成樹脂材料としては、ポリエチレン、ポリプロピレン、ポリブテン等のα−オレフィンの重合体を用いてもよく、エチレンにα−オレフィンを共重合させたもの、或いはエチレンに、酢酸ビニル、メタクリル酸又はそのエステル、アクリル酸又はそのエステル等と共重合させたものでもよく、更にはポリエチレンテレフタレート、ポリブチレンテレフタレート、ＡＢＳ樹脂、ＡＡＳ樹脂、ウレタン樹脂、ポリアミド樹脂、フェノール樹脂等の合成樹脂を用いることができ、或いはこれらの樹脂を適宜組み合わせて用いるようにしてもよい。
【００１５】
また、前記突起３は前記長手方向Ｌの一端で高さが最も高く、前記長手方向Ｌの他端に向かうにしたがって高さが低くなる楔形状となされ、さらに詳細には、前記突起３は、前記長手方向Ｌの一端面３１が前記合成樹脂層２の外側面２１に対して垂直で、前記長手方向Ｌの他端面３２が前記合成樹脂層２の外側面２１に対して傾斜した角錘台形状となされ、前記一端面３１と前記他端面３２との間に平坦面３３，３４が設けられている。なお図２に示すように、前記平坦面３３は前記合成樹脂層２の外側面２１から離間された面であり、前記平坦面３４は前記合成樹脂層２の外側面２１から垂直に立ち上げられた面である。
【００１６】
また、前記長手方向Ｌに間隔を置いて形成される前記突起３の列は、本実施形態においては９０度の間隔で周方向に４列形成されている。そして、隣り合う列に形成されている前記突起３どうしは、前記長手方向Ｌに千鳥状になるように設けられている。
【００１７】
そして図４に示すように、農園芸用支柱Ｐに線状部材やネット状部材からなる結着材Ｋを取付ける際、前記突起３の前記一端面３１で前記結着材Ｋを受け止めることができるようになされているので、前記結着材Ｋを確実に前記突起３に保持することができ、前記結着材Ｋがずり落ちるのを確実に防止できる。
【００１８】
さらに、前記農園芸用支柱Ｐが複数本列設された畑などの農園芸用地において、長い距離にわたって延設されている線状部材からなる結着材Ｋの両端部を前記農園芸用支柱Ｐに括り付けて結着させている場合においては、植物の成長に合わせて、前記結着材Ｋを上方に上げていく作業が必要となることもあり、その場合には、両端の農園芸用支柱Ｐに括り付けている前記結着材Ｋを上方に上げた後、両端の農園芸用支柱Ｐの間に配置されている農園芸用支柱Ｐの所定高さに位置する前記突起３の前記一端面３１上に、前記結着材Ｋを載置しさえすれば、その作業を完了することができるので、非常に作業効率が良い。
【００１９】
なお、本実施形態における前記農園芸用支柱Ｐは、長さが約１２００ｍｍ、外径が約１９ｍｍとなされ、前記合成樹脂層２の外側面２１に形成されている前記突起３は、その高さが約２．４ｍｍ、厚み（幅）が約２．０ｍｍのサイズに形成されたものであるが、特にこのサイズに限定されるものではない。
【符号の説明】
【００２０】
１  パイプ材
２  合成樹脂層
２１  外側面
３  突起
３１  一端面
３２  他端面
３３，３４  平坦面
Ｐ  農園芸用支柱
Ｋ  結着材
Ｌ  長手方向
【図１】
2016158553.tif 000003
【図２】
2016158553.tif 000004
【図３】
2016158553.tif 000005
【図４】
2016158553.tif 000006